(57)【要約】      （修正有）【課題】坩堝を容易に取り出せ、サイズの小さい坩堝の包装材を提供する。【解決手段】全体の形状が平行六面体である坩堝１２は、底部１４と側壁１６を備えている。包装材１３は、基準軸線Ｘと呼ぶ共通する軸線にほぼ平行な側壁２２を有する本体２０を備えるタイプである。本体２０は、本体２０の側壁２２が坩堝１２の側壁とぴったりと合った状態で坩堝１２の側壁１６を包んでいる。本体２０は、前記本体２０と坩堝１２の分離手段を備えている。分離手段は、本体２０を把持して基準軸線Ｘにほぼ平行に移動させるための開口部２８、および／または包装材の本体２０の少なくとも１つの側壁２２に設けられた切り取り線を備えていることが好ましい。【選択図】図１
0003156772.tif 000002
【実用新案登録請求の範囲】
【請求項１】
坩堝（１２）と、前記坩堝（１２）の包装材（１３）とから成る組立体（１１）であって、
前記坩堝は、全体的な形状が筒状、特に平行六面体の形状であって底部（１４）と側壁（１６）を備えており、
前記包装材（１３）は、基準軸線（Ｘ）と呼ぶ共通の軸線にほぼ平行な側壁（２２）を有する本体（２０）を備えている、
ものにおいて、
前記本体（２０）が、前記本体（２０）の側壁（２２）が前記坩堝（１２）の側壁とぴったりと合った状態で前記坩堝（１２）の側壁（１６）を包んでいて、
前記本体が、前記本体（２０）と前記坩堝（１２）を分離する手段（２８；４０）を備えている、
ことを特徴とする組立体（１１）。
【請求項２】
前記分離手段が、前記本体（２０）を基準軸線（Ｘ）にほぼ平行に移動させるための把持手段（２８）を備える、ことを特徴とする請求項１に記載の組立体（１１）。
【請求項３】
前記把持手段が、前記本体（２０）の１つの側壁（２２）に設けられた少なくとも１つの開口部（２８）を有する、ことを特徴とする請求項２に記載の組立体（１１）。
【請求項４】
前記分離手段が、前記包装材（１３）の本体（２０）の１つの側壁（２２）に設けられた切り取り線（４０）を有する、ことを特徴とする請求項１に記載の組立体（１１）。
【請求項５】
前記切り取り線（４０）が前記側壁（２２）の分離可能な部分を規定していて、前記切り取り線（４０）に沿って前記包装材（１３）の本体（２０）から離すことができる、ことを特徴とする請求項４に記載の組立体（１１）。
【請求項６】
前記包装材（１３）が段ボールである、ことを特徴とする請求項１から５のいずれか１項に記載の組立体（１１）。
【請求項７】
前記本体（２０）から分離できて前記本体（２０）の両端の開口部を塞ぐことになる底部（２４）と蓋（２６）を備える、ことを特徴とする請求項１から６のいずれか１項に記載の組立体（１１）。
【請求項８】
前記坩堝（１２）の少なくとも一部がプラスチック・フィルム（１８）で包まれていて、前記プラスチック・フィルム（１８）が前記坩堝（１２）の開いている一端を覆っている、ことを特徴とする請求項１から７のいずれか１項に記載の組立体（１１）。
【請求項９】
前記坩堝（１２）が、非鉄製品、例えばシリコンを溶融させるためのものである、ことを特徴とする請求項１から８のいずれか１項に記載の組立体（１１）。
【請求項１０】
請求項１から９のいずれか１項に記載の組立体の包装材（１３）の本体（２０）の各側壁（２２）が、請求項１から９のいずれか１項に記載の組立体の坩堝（１２）の１つの側壁（１６）にぴったりと合うように調節されている、
ことを特徴とする包装された坩堝。
【請求項１１】
包装された少なくとも４つの坩堝（１０）が２つの区画に分配されて載ったパレット（３２）を備えるタイプの包装された複数の坩堝の集合体であって、
包装された少なくとも１つの坩堝が請求項１０によるものであり、
この集合体（３０）が、各区画の包装された２つの坩堝（１０）の間に挿入された区画一体化用の第１のシート（３４）をさらに備える、
ことを特徴とする包装された複数の坩堝の集合体。
【請求項１２】
第２の一体化用シート（３６）が区画の頂部に位置する、ことを特徴とする請求項１１に記載の包装された複数の坩堝の集合体（３０）。
【請求項１３】
少なくとも１本の締め付け用ベルト（３８）が前記パレット（３２）上の区画のうちの少なくとも１つを一体化している、ことを特徴とする請求項１１または１２に記載の包装された複数の坩堝の集合体（３０）。
【考案の詳細な説明】
【技術分野】
【０００１】
本考案は、坩堝と、その坩堝の包装材とからなる組立体、包装された坩堝、包装された複数の坩堝の集合体に関する。
【背景技術】
【０００２】
シリコンをベースとした材料を坩堝の中で溶融させることによって結晶シリコンの塊を製造することが特に知られている。一般に二酸化ケイ素からなる坩堝の壁面にシリコンの塊が付着することを避けるため、坩堝の内面は、通常、窒化ケイ素からなるコーティングで覆われている。このコーティングは坩堝の内面にあって付着力がわずかしないため、このコーティングとのあらゆる接触が可能な限り避けられる。
【０００３】
坩堝は、輸送するとき、包装材で保護される。坩堝が目的地に到着すると、その坩堝の内面に接触することなく包装材から取り出す必要がある。
【０００４】
従来技術ではすでに、底部と側壁部を有する坩堝用の全体が平行六面体の形状の包装材が知られている。この包装材は、基準軸線と呼ばれる軸線にほぼ平行な側壁を有する本体を備えるタイプのものである。
【考案の概要】
【０００５】
従来からあるこのタイプの包装材では、中心にある本体は、基準軸線に対して横方向のサイズが、坩堝の横方向のサイズよりも非常に大きい。したがって、坩堝の側壁に沿って基準軸線に平行に坩堝を自由に滑らせることで容易に坩堝を包装材から取り出すことができる。しかし包装材の本体のサイズが大きくなるほど、包装材はよりかさばるようになる。したがってこのタイプの包装材の欠点は、かさばることと、使用後に包装材を分解するときに発生する廃棄物の量である。
【０００６】
本考案は特に、坩堝を包装材から容易に取り出せるようにしたままでこのタイプの包装材のサイズを小さくすることを目的とする。
【０００７】
そこで本考案が目的とするのは、坩堝と、その坩堝の包装材とからなる上記のタイプの組立体において、本体が、その本体の側壁が坩堝の側壁とぴったりと合った状態でその坩堝の側壁を包んでいて、その本体が、その本体とその坩堝を分離する手段を備えていることを特徴とする組立体である。
【０００８】
包装材が坩堝の側壁にぴったりと合うようにすることで、包装材のサイズを小さくし、したがってかさばらなくすることと、使用後に包装材を分解するときに発生する廃棄物の量を減らすことができる。さらに、分離手段が存在することで、坩堝の窒化ケイ素製内面コーティングに接触することなく、坩堝を包装材から取り出すことができる。
【０００９】
本考案による包装材のオプションである他の特徴によれば、
−分離手段は、本体を把持して基準軸線にほぼ平行に移動させる手段を備えている。包装材の本体は、坩堝の側壁にぴったりと合っているが、把持手段のおかげでその本体を基準軸線に平行に滑らせることにより、坩堝から効果的に分離することができる。したがって坩堝の内部コーティングへの接触が避けられる。
−把持手段は、本体の１つの側壁に設けられた少なくとも１つの開口部を有する。この把持手段は特に簡単に実現できる。
−分離手段は、包装材の本体の１つの側壁に設けられた切り取り線を有する。この切り取り線により、坩堝の内面に接触することなく、包装材の本体の少なくとも一部を破って坩堝を包装材から取り出すことができる。
−切り取り線が側壁の分離可能な部分を規定していて、その切り取り線に沿って包装材の本体から離すことができる。包装材の側壁と坩堝の側壁がぴったりと合っているため、分離可能な部分によって坩堝の側壁と包装材の側壁の間に空気を入れることができる。この空気がエア・クッションを形成するため、包装材を坩堝に対して滑らせるとともに、坩堝の側壁と包装材の側壁の間の“吸盤効果”と呼ばれる付着効果を避けることができる。
【００１０】
オプションである別の１つの特徴によれば、包装材は段ボールである。
【００１１】
オプションである別の１つの特徴によれば、包装材は、本体から分離できてその本体の両端の開口部を塞ぐことになる底部と蓋を備えている。
【００１２】
オプションである別の特徴によれば、
−坩堝の少なくとも一部がプラスチック・フィルムで包まれていて、そのプラスチック・フィルムがその坩堝の開いている一端を覆っている。
−包装された坩堝は、非鉄製品、例えばシリコンを溶融させるためのものである。
−坩堝の少なくとも１つの側壁は、窒化ケイ素を含むコーティングで覆われた内面を有する。
【００１３】
本考案は、上記のような組立体の包装材の本体の各側壁が、上記のような組立体の坩堝の１つの側壁にぴったりと合うように調節されていることを特徴とする、包装された坩堝も目的とする。
【００１４】
本考案はさらに、包装された少なくとも４つの坩堝が２つの区画に分配されて載ったパレットを備えるタイプの包装された複数の坩堝の集合体であって、包装された少なくとも１つの坩堝が上記のようなものであることと、この集合体が、各区画の包装された２つの坩堝の間に挿入された区画一体化用の第１のシートをさらに備えることを特徴とする、包装された複数の坩堝の集合体も目的とする。
【００１５】
坩堝を収容した包装材をパレットの上に複数個載せるとき、坩堝を包装する際に実現したサイズ縮小効果が累積していく。一体化用シートにより、坩堝を収容した包装材の区画を一体化するとともに、包装された坩堝の集合体が分離することを回避する。
【００１６】
本考案による包装された坩堝の集合体に関する別のオプションの特徴によれば、
−第２の一体化用シートが区画の頂部に配置されている。
−締め付け用ベルトがパレットの上の少なくとも１つの区画を一体化している。
【図面の簡単な説明】
【００１７】
【図１】第１の実施態様による包装された１つの坩堝の分解斜視図である。
【図２】包装された複数の坩堝の集合体の立面図であり、その中には図１に示したようにして包装された少なくとも１つの坩堝が含まれている。
【図３】第３の実施態様による包装された１つの坩堝の分解斜視図である。
【考案を実施するための形態】
【００１８】
本考案は、図面を参照した以下の説明を読めばさらによく理解できよう。しかしこの説明は単なる例示である。
図１に、第１の実施態様による包装された１つの坩堝（その全体を参照番号１０で表わす）を示してある。
【００１９】
包装されたこの坩堝は、１つの坩堝１２と、この坩堝１２の包装材１３とを含んでいる。
【００２０】
坩堝１２は全体が平行六面体の形状であり、底部１４と側壁１６を有する。
【００２１】
ここに説明する実施例では、坩堝１２は、非鉄製品、特にシリコンを溶融させるためのものである。坩堝１２の内面は、窒化ケイ素からなるコーティングで覆われている。
【００２２】
坩堝１２を輸送する際にこのコーティングを保護するため、この坩堝の少なくとも一部をプラスチック・フィルム１８で包む。このプラスチック・フィルム１８は、坩堝１２の開いている一端を覆う。
【００２３】
包装材１３は、基準軸線Ｘと呼ぶ共通の軸線にほぼ平行な側壁２２を有する本体２０を備えている。側壁２２は、坩堝１２の側壁１６にぴったりと合った状態でその側壁１６を包んでいる。
【００２４】
包装材１３は、本体２０から分離できて本体２０の両端の開口部を塞ぐことになる底部２４と蓋２６も備えている。底部２４と蓋２６のサイズは本体２０のサイズに合わせてあるため、底部２４と蓋２６を本体２０に嵌めることができる。
【００２５】
中心にある本体２０と、底部２４と、蓋２６とを備える包装材１３は、ボール紙でできていることが好ましい。
【００２６】
本体２０は、その本体２０を坩堝１２と分離する手段を備えている。この分離手段は、把持手段を有することが好ましい。把持手段は、例えば、包装材の本体２０の向かい合った２つの側壁２２に設けられた２つの開口部２８である。利用者は、これら開口部２８によって本体２０を掴み、坩堝の側壁に対して基準軸線Ｘにほぼ平行に移動させることができる。
【００２７】
包装材１３の中に収容された坩堝１２を包装材から取り出すのは非常に簡単である。
【００２８】
実際、利用者はまず最初に本体２０から蓋２６を取り除く。次に、開口部２８によって包装材の本体２０を掴み、本体２０を坩堝１２の側壁１６に沿って基準軸線Ｘに平行に滑らせることで、本体２０と坩堝１２を完全に分離する。
【００２９】
利用者は、このようにして、プラスチック・フィルム１８で覆われた状態で包装材の底部２４に載った坩堝１２にアクセスする。
【００３０】
図２には包装された複数の坩堝の集合体を示してあり、その中に、図１に示した少なくとも１つの包装された坩堝１０が含まれている。より詳細には、この集合体（その全体を参照番号３０で表わす）は、図１に示したようにして包装された坩堝１０を８つ含んでいる。図２では、包装された４つの坩堝１０しか見ることができない。
【００３１】
包装された各坩堝１０について、各包装材１３の本体２０の各側壁２２は、坩堝１２の対応する側壁１６とぴったり合うように調節されている。
【００３２】
集合体３０は、包装された複数の坩堝１０を載せるパレット３２も備えている。包装された坩堝はパレットに載せられ、包装された２つずつの坩堝１０からなる４つの区画に分けられている。
【００３３】
集合体３０は、区画同士を一体化する例えば段ボール製の第１のシート３４をさらに備えている。このシート３４は、各区画内の包装された２つの坩堝１０の間に挿入される。
【００３４】
区画同士を一体化する例えば段ボール製の第２のシート３６が、これらの区画の頂部に配置されている。
【００３５】
締め付けベルトの第１のペア３８が、パレット３２上の包装された坩堝からなる４つの区画を一体化している。
【００３６】
場合によっては締め付けベルトの第２のペアで包装された坩堝からなる区画を取り囲み、シート３４、３６とで区画同士を一体化する。
【００３７】
図３には、第２の実施態様による包装された１つの坩堝を示してある。この図３では、前の図に示したのと同様の要素には同じ参照番号を付してある。
【００３８】
この第２の実施態様では、分離手段は、第１の実施態様とは異なり、包装材の本体２０の側壁２２に設けられた切り取り線４０を有する。
【００３９】
この場合、切り取り線４０は、側壁２２の分離可能な部分４１を規定している。この分離可能な部分４１は、切り取り線４０に沿って包装材１３の本体２０から分離することができる。図３に示した実施例では、切り取り線４０は“Ｕ”の形状であり、切り取り線４０の両端は側壁２２の同じ自由縁部４２と一致している。より詳細には、切り取り線４０の異なる２つの部分４６、４８が、縁部４２から底部１４の方向に、側壁２２の基準軸線Ｘに平行な方向のサイズの約２／３にわたって延びている。これらの部分４６、４８は、側壁２２に垂直で基準軸線Ｘを通る中央面に向かってほぼ収束していく。部分４６、４８は、底部１４にほぼ平行で側壁２２の基準軸線Ｘに垂直な方向のサイズの約２／３にわたって延びる部分５０によって互いに接続されている。
【００４０】
この第２の実施態様による包装された坩堝１０を包装材から取り出すには、利用者は、本体２０から蓋２６を取り除き、次いで本体２０の切り取り線４０によって規定されている部分を破る。最後に、本体２０を坩堝１２と分離する。
【００４１】
本考案の利点として、坩堝を包装材から容易に取り出せるようにしたままで包装材のサイズを小さくできることと、使用後に包装材を分解するときに発生する廃棄物の量を減らせることが挙げられよう。
【００４２】
本考案が上に説明した実施態様に限定されることはない。
【００４３】
実際、包装材の本体は、包装材の本体の１つまたは複数の側壁に、把持用開口部を１つだけ、または３つ以上配置することができる。
【００４４】
さらに、包装材の本体の１つまたは複数の側壁に複数本の切り取り線を設けることができる。
【００４５】
分離手段は、包装材の本体の１つまたは複数の側壁に設けた把持手段と、１本または複数本の切り取り線とを同時に備えることができる。把持手段と切り取り線は、例えば包装材の本体の同じ側壁上に位置する。
【００４６】
包装された複数の坩堝の集合体は、包装された２つの坩堝からなる４つの区画よりも多数または少数の区画を含むことができる。例えば包装された複数の坩堝の集合体は、パレットに載った包装された１６個の坩堝を含んでいて、それらを包装された２つの坩堝からなる８つの区画にすることができる。包装された複数の坩堝の別の集合体は、パレットに載った包装された４つの坩堝を含んでいて、それらを包装された２つの坩堝からなる２つの区画にすることができる。
【００４７】
１つの区画または複数の区画をパレット上で１つのベルトまたは複数のベルトで一体化することができる。
【図１】
0003156772.tif 000003
【図２】
0003156772.tif 000004
【図３】
0003156772.tif 000005
【手続補正書】
【提出日】平成21年8月20日(2009.8.20)
【手続補正２】
【補正対象書類名】実用新案登録請求の範囲
【補正対象項目名】全文
【補正方法】変更
【補正の内容】
【実用新案登録請求の範囲】
【請求項１】
坩堝（１２）と、前記坩堝（１２）の包装材（１３）とから成る組立体（１１）であって、
前記坩堝は、全体的な形状が筒状、特に平行六面体の形状であって底部（１４）と側壁（１６）を備えており、
前記包装材（１３）は、基準軸線（Ｘ）と呼ぶ共通の軸線にほぼ平行な側壁（２２）を有する本体（２０）を備えている、
ものにおいて、
前記本体（２０）が、前記本体（２０）の側壁（２２）が前記坩堝（１２）の側壁とぴったりと合った状態で前記坩堝（１２）の側壁（１６）を包んでいて、
前記本体が、前記本体（２０）と前記坩堝（１２）を分離する手段（２８；４０）を備えている、
ことを特徴とする組立体（１１）。
【請求項２】
前記分離手段が、前記本体（２０）を基準軸線（Ｘ）にほぼ平行に移動させるための把持手段（２８）を備える、ことを特徴とする請求項１に記載の組立体（１１）。
【請求項３】
前記把持手段が、前記本体（２０）の１つの側壁（２２）に設けられた少なくとも１つの開口部（２８）を有する、ことを特徴とする請求項２に記載の組立体（１１）。
【請求項４】
前記分離手段が、前記包装材（１３）の本体（２０）の１つの側壁（２２）に設けられた切り取り線（４０）を有する、ことを特徴とする請求項１に記載の組立体（１１）。
【請求項５】
前記切り取り線（４０）が前記側壁（２２）の分離可能な部分を規定していて、前記切り取り線（４０）に沿って前記包装材（１３）の本体（２０）から離すことができる、ことを特徴とする請求項４に記載の組立体（１１）。
【請求項６】
前記包装材（１３）が段ボールである、ことを特徴とする請求項１から５のいずれか１項に記載の組立体（１１）。
【請求項７】
前記本体（２０）から分離できて前記本体（２０）の両端の開口部を塞ぐことになる底部（２４）と蓋（２６）を備える、ことを特徴とする請求項１から６のいずれか１項に記載の組立体（１１）。
【請求項８】
前記坩堝（１２）の少なくとも一部がプラスチック・フィルム（１８）で包まれていて、前記プラスチック・フィルム（１８）が前記坩堝（１２）の開いている一端を覆っている、ことを特徴とする請求項１から７のいずれか１項に記載の組立体（１１）。
【請求項９】
前記坩堝（１２）が、非鉄製品、例えばシリコンを溶融させるためのものである、ことを特徴とする請求項１から８のいずれか１項に記載の組立体（１１）。
【手続補正書】
【提出日】平成21年11月5日(2009.11.5)
【手続補正１】
【補正対象書類名】実用新案登録請求の範囲
【補正対象項目名】全文
【補正方法】変更
【補正の内容】
【実用新案登録請求の範囲】
【請求項１】
坩堝（１２）と、前記坩堝（１２）の包装材（１３）とから成る組立体（１１）であって、
前記坩堝は、全体的な形状が筒状、特に平行六面体の形状であって底部（１４）と側壁（１６）を備えており、
前記包装材（１３）は、基準軸線（Ｘ）と呼ぶ共通の軸線にほぼ平行な側壁（２２）を有する本体（２０）を備えている、
ものにおいて、
前記本体（２０）が、前記本体（２０）の側壁（２２）が前記坩堝（１２）の側壁とぴったりと合った状態で前記坩堝（１２）の側壁（１６）を包んでいて、
前記本体が、前記本体（２０）と前記坩堝（１２）を分離する手段を備えている、
ことを特徴とする組立体（１１）。
【請求項２】
前記分離する手段が、前記本体（２０）を基準軸線（Ｘ）にほぼ平行に移動させるための把持手段を備える、ことを特徴とする請求項１に記載の組立体（１１）。
【請求項３】
前記把持手段が、前記本体（２０）の１つの側壁（２２）に設けられた少なくとも１つの開口部（２８）を有する、ことを特徴とする請求項２に記載の組立体（１１）。
【請求項４】
前記分離する手段が、前記包装材（１３）の本体（２０）の１つの側壁（２２）に設けられた切り取り線（４０）を有する、ことを特徴とする請求項１に記載の組立体（１１）。
【請求項５】
前記切り取り線（４０）が前記側壁（２２）の分離可能な部分を規定していて、前記切り取り線（４０）に沿って前記包装材（１３）の本体（２０）から離すことができる、ことを特徴とする請求項４に記載の組立体（１１）。
【請求項６】
前記包装材（１３）が段ボールである、ことを特徴とする請求項１から５のいずれか１項に記載の組立体（１１）。
【請求項７】
前記本体（２０）から分離できて前記本体（２０）の両端の開口部を塞ぐことになる底部（２４）と蓋（２６）を備える、ことを特徴とする請求項１から６のいずれか１項に記載の組立体（１１）。
【請求項８】
前記坩堝（１２）の少なくとも一部がプラスチック・フィルム（１８）で包まれていて、前記プラスチック・フィルム（１８）が前記坩堝（１２）の開いている一端を覆っている、ことを特徴とする請求項１から７のいずれか１項に記載の組立体（１１）。
【請求項９】
前記坩堝（１２）が、非鉄製品、例えばシリコンを溶融させるためのものである、ことを特徴とする請求項１から８のいずれか１項に記載の組立体（１１）。